(57)【特許請求の範囲】
【請求項１】
ロータがモータケースの内側に収容されたモータ本体を有するモータにおいて、
記モータケースの外面の少なくとも一部には、光吸収性を有する艶消しの反射防止層が被覆されており、
前記反射防止層は、前記モータケースの外面に被せられたカバーであって、
当該カバーの外面が、表面に艶消し用の凹凸を備えた光吸収性の反射防止面になっていることを特徴とするモータ。
【請求項２】
前記カバーは、前記モータケースが内側に嵌った筒状カバーであることを特徴とする請求項１に記載のモータ。
【請求項３】
前記カバーは、前記モータケースの外面に固定されており、
前記カバーと前記モータケースの間には接着剤が介在していることを特徴とする請求項１または２に記載のモータ。
【請求項４】
前記モータケースは、モータ軸線方向に延在する筒状胴部の開口縁に径方向外側に突出した凸部を備え、
前記カバーは、少なくとも前記凸部の形成位置まで被さっており、
前記カバーと前記筒状胴部の外面との間には、前記凸部によって、前記接着剤の溜まり部を構成する隙間が形成されていることを特徴とする請求項３に記載のモータ。
【請求項５】
前記モータケースは、前記筒状胴部を備えた２つのカップ状部材が、前記開口縁同士が向き合うようにモータ軸線方向に配列されてなることを特徴とする請求項４に記載のモータ。
【請求項６】
前記カバーは、前記モータ本体に係合して前記カバーと前記モータ本体とを結合させる係合部を備えていることを特徴とする請求項１または２に記載のモータ。
【発明の詳細な説明】
【技術分野】
【０００１】
本発明はモータに関するものである。
【背景技術】
【０００２】
各種のモータのうち、デジタルカメラやビデオカメラ等においてレンズ駆動に利用されるステッピングモータは、レンズの鏡筒内に直接搭載される場合があり、このような場合、モータケースの外面で光が反射して撮像素子に入射することを防止する必要がある。そこで、極歯を備えた磁極ユニットを射出成形により樹脂で外装するとともに、樹脂表面を梨地状とした構成や、樹脂にカーボンブラックを添加した構成が提案されている（特許文献１参照）。また、金属製のモータケースの外面に塩化第二鉄を利用したエッチングを行うとともに、かかる外面を酸化物や硫化物を含む黒色皮膜によって黒染めした構成が提案されている（特許文献２参照）。
【先行技術文献】
【特許文献】
【０００３】
【特許文献１】特開２００３―３２９９０号公報
【特許文献２】特開２００６―１２９６０７号公報
【発明の概要】
【発明が解決しようとする課題】
【０００４】
しかしながら、特許文献１に記載の構成では、極歯を備えた磁極ユニットを金型内に入れて射出成形するという特殊な工程や大がかりな装置を必要とするため、コストが嵩むという問題点がある。また、特許文献２に記載の構成では、モータケースに対するエッチング工程等の特殊な湿式工程や特殊な薬品を必要とするため、コストが嵩むという問題点がある。また、特許文献１、２に記載の構成では、通常のステッピングモータとの部品の共通化を図ることができないという点でもコストが嵩むという問題点がある。
【０００５】
以上の問題点に鑑みて、本発明の課題は、特殊な工程や特殊な薬品を必要とせずに、外面での反射を防止することができるモータを提供することにある。
【課題を解決するための手段】
【０００６】
上記課題を解決するために、本発明では、ロータがモータケースの内側に収容されたモータ本体を有するモータにおいて、前記モータケースの外面の少なくとも一部には、光吸収性を有する艶消しの反射防止層が被覆されており、前記反射防止層は、前記モータケースの外面に被せられたカバーであって、当該カバーの外面が、表面に艶消し用の凹凸を備えた光吸収性の反射防止面になっていることを特徴とする。
【０００７】
本発明のモータでは、モータケースの外面の少なくとも一部には、反射防止層が被覆されているため、モータを光学機器等に搭載する際、光が当たる箇所に反射防止層が位置するようにモータを配置すれば、モータケースで反射した光が撮像素子に入射する等の不具合の発生を防止することができる。また、反射防止層を設けるにあたっては、モータを組み立てた後、あるいはモータを組み立てる途中にモータケースを反射防止層で被覆するという簡素な作業を行えばよく、射出成形やエッチング工程等といった特殊な工程を行う必要がない。また、反射防止層以外は全て、通常のモータと部品の共通化を図ることができる。それ故、モータの外面での反射を防止するにあたって、コストが嵩むことがない。
【０００８】
また、前記反射防止層は、前記モータケースの外面に被せられたカバーであって、当該カバーの外面が、表面に艶消し用の凹凸を備えた光吸収性の反射防止面になっている。このため、モータケースの外面にカバーという簡素な構成の部材を被せるという簡素な作業を行えばよい。また、カバーについては、モータ本体の製造工程とは別の工程で製作しておけるので、コストが嵩むことがない。
【０００９】
本発明において、前記カバーは、前記モータケースが内側に嵌った筒状カバーであることが好ましい。かかる構成によれば、モータケースに筒状カバーを確実に取り付けることができる。
【００１０】
本発明において、前記カバーは、前記モータケースの外面に固定されており、前記カバーと前記モータケースの間には接着剤が介在している構成を採用することができる。かかる構成によれば、モータケースおよびカバーを互いに係合するような特殊な構造とする必要がないので、カバーについては簡素な構成で済むとともに、モータケースについては、通常のモータで用いる構造のままでよいという利点がある。
【００１１】
本発明において、前記モータケースは、モータ軸線方向に延在する筒状胴部の開口縁に径方向外側に突出した凸部を備え、前記カバーは、少なくとも前記凸部の形成位置まで被さっており、前記カバーと前記筒状胴部の外面との間には、前記凸部によって、前記接着剤の溜まり部を構成する隙間が形成されていることが好ましい。かかる構成によれば、接着剤の溜まり部に接着剤を溜めることが可能となる。
【００１２】
本発明において、前記モータケースは、前記筒状胴部を備えた２つのカップ状部材が、前記開口縁同士が向き合うようにモータ軸線方向に配列されてなることが好ましい。かかる構成によれば、カバーと筒状胴部の外面との間には、２つのカップ状部材に設けられている凸部によって、接着剤の溜まり部を構成することができる。
【００１３】
本発明において、前記カバーは、前記モータ本体に係合して前記カバーと前記モータ本体とを結合させる係合部を備えていることが好ましい。かかる構成によれば、接着剤等を用いなくても、カバーによってモータケースを覆った状態を維持することができる。また、接着剤を用いる場合でも、接着剤が固化するまでの間、カバーとモータ本体とを結合させておくことができる。
【００１４】
本発明において、前記係合部は、前記カバーを前記モータ本体の段部に向けて熱溶融させてなることが好ましい。かかる構成によれば、予めカバーに係合部を設けておく必要がないので、カバーの構成を簡素化することができる。
【発明の効果】
【００１５】
本発明のモータでは、モータケースの外面の少なくとも一部には、反射防止層が被覆されているため、モータが光学機器等に搭載された際、迷光が当たる箇所に反射防止層が位置するようにモータを配置すれば、迷光が撮像素子に入射する等の不具合を防止することができる。また、反射防止層を設けるにあたっては、モータを組み立てた後、あるいはモータを組み立てる途中にモータケースを反射防止層で被覆するという簡素な作業を行えばよく、射出成形、エッチング工程、黒染め工程等といった特殊な工程を行う必要がない。また、反射防止層以外は全て、通常のモータと部品の共通化を図ることができる。それ故、モータの外面での反射を防止するにあたって、コストが嵩むことがない。
【図面の簡単な説明】
【００１６】
【図１】本発明を適用したモータを出力側からみたときの説明図である。
【図２】本発明を適用したモータを反出力側からみたときの説明図である。
【図３】本発明を適用したモータのモータ本体の説明図である。
【図４】本発明を適用したモータにおける筒状カバーの固定構造を示す説明図である。
【発明を実施するための形態】
【００１７】
以下に、図面を参照して、本発明を適用したモータの一例を説明する。なお、以下の説明では、モータ軸線方向を指示する際、回転軸が突出している側を出力側とし、回転軸が突出している側とは反対側を反出力側とする。
【００１８】
（全体構成）
図１は、本発明を適用したモータを出力側からみたときの説明図であり、図１（ａ）、（ｂ）は、モータの斜視図、および分解斜視図である。図２は、本発明を適用したモータを反出力側からみたときの説明図であり、図２（ａ）、（ｂ）は、モータの斜視図、および分解斜視図である。図３は、本発明を適用したモータのモータ本体の説明図であり、図３（ａ）、（ｂ）、（ｃ）は、モータ本体の断面図、モータ本体を反出力側からみたときの側面図、およびモータケースを構成するカップ状部材の説明図である。図４は、本発明を適用したモータにおける筒状カバーの固定構造を示す説明図であり、図４（ａ）、（ｂ）は、モータの側面部を拡大して示す断面図、およびモータの側面部をさらに拡大して示す説明図である。なお、図１および図２において、後述する反射防止面については右上がりの斜線を付してある。
【００１９】
図１および図２において、本発明を適用したモータ１は、デジタルカメラ、デジタルビデオカメラ等に用いられる小型のステッピングモータであり、モータ本体１ａと、モータ本体１ａのモータケース１０に被せられたカバー２０とからなる。本形態において、カバー２０は筒状カバーである。また、本形態において、モータケース１０は断面円形であるため、カバー２０は円筒状カバーである。かかるカバー２０は、後述するように反射防止層２５として用いられている。
【００２０】
図３および図４に示すように、モータ本体１ａは、円筒状のステータ４０を有しており、ステータ４０では、コイル８が巻回された環状の第１のボビン２Ａと第２のボビン２Ｂとがモータ軸線Ｌ方向に重ねて配置されている。ステータ４０において、第１のボビン２Ａのモータ軸線Ｌ方向の両側には、磁性板からなる環状の内ステータコア３Ａと、磁性板からなる外ステータコアとしてのカップ状部材４Ａとが重ねて配置され、第２のボビン２Ｂにおいてモータ軸線Ｌ方向の両側には、磁性板からなる環状の内ステータコア３Ｂと、磁性板からなる外ステータコアとしてのカップ状部材４Ｂとが重ねて配置されている。第１のボビン２Ａおよび第２のボビン２Ｂの内周面では、内ステータコア３Ａ、３Ｂの極歯３０１と、カップ状部材４Ａ、４Ｂの極歯４０１とが周方向に交互に並んだ構成となっている。このようにして、円筒状のステータ４０が構成されており、かかるステータ４０の内側には、ロータ５が同軸状に配置されている。
【００２１】
ロータ５は、回転軸５１の基端側（反出力側）の周りにロータマグネット５２を備えており、ロータマグネット５２は、ステータ４０の内側において、ステータ４０（内ステータコア３Ａ、３Ｂおよびカップ状部材４Ａ、４Ｂ）の極歯３０１、４０１と所定の間隔を介して対向している。
【００２２】
（モータケース１０等の構成）
カップ状部材４Ａは、円環状の端板部４２Ａと、円環状の端板部４２Ａの外周縁からモータ軸線Ｌ方向の出力側に向けて延在する筒状胴部４３Ａとを備えており、端板部４２Ａの内縁から出力側に向けては複数の極歯４０１が突出している。カップ状部材４Ｂは、円環状の端板部４２Ｂと、円環状の端板部４２Ｂの外周縁からモータ軸線Ｌ方向の反出力側に向けて延在する筒状胴部４３Ｂとを備えており、端板部４２Ｂの内縁から反出力側に向けて複数の極歯４０１が突出している。
【００２３】
このように構成したカップ状部材４Ａ、４Ｂは、筒状胴部４３Ａ、４３Ｂの開口部４４Ａ、４４Ｂが互いに向かい合うようにモータ軸線Ｌ方向に配列されてモータケース１０を構成しており、かかるモータケース１０の内部に、コイル８やロータ５が収容されている。
【００２４】
カップ状部材４Ａ、４Ｂにおいて、筒状胴部４３Ａ、４３Ｂの開口縁には、切り欠き４５Ａ、４５Ｂが形成されており、かかる切り欠き４５Ａ、４５Ｂを通って端子台７がモータケース１０から径方向外側に突出している。端子台７は、第１のボビン２Ａおよび第２のボビン２Ｂと一体に形成された樹脂部分からなり、コイル８の端部が巻回される複数の端子ピン７１を保持している。かかる端子ピン７１には、フレキシブル配線基板やケーブル等の配線材（図示せず）が接続される。
【００２５】
（軸受６１、９７等の構成）
モータ本体１ａにおいて、カップ状部材４Ｂの端板部４２Ｂにはプレート６が固着されており、このプレート６の先端側屈曲部分に保持されている軸受６１によって、回転軸５１の出力側の端部が鋼球９６を介して支持されている。
【００２６】
回転軸５１は、モータ軸線Ｌ方向における反出力側（第１のボビン２Ａの側）の軸端が鋼球９９を介して軸受９７によって支持されている。ステータ４０に対して反出力側には焼結金属体等からなる軸受ホルダ９８が配置されており、軸受９７は、軸受ホルダ９８の貫通孔９８ａに装着されている。軸受９７は、貫通孔９８ａの内部においてモータ軸線Ｌ方向に移動可能な状態にある。軸受ホルダ９８は、カップ状部材４Ａに溶接により固定されている。
【００２７】
本形態において、軸受ホルダ９８よりさらに反出力側には、金属板からなる与圧付与部材９１が軸受ホルダ９８と少なくとも一部が重なるように配置されている。与圧付与部材９１は、端板部９１ａと、端板部９１ａの外周縁から軸受ホルダ９８の側に延びて軸受ホルダ９８の外周端部に係合する爪部９１ｃとを有している。与圧付与部材９１の端板部９１ａでは、板バネ部９１ｅが軸受９７の側に切り起こされており、板バネ部９１ｅは、貫通孔９８ａ内の軸受９７を回転軸５１（出力側）に向けて付勢し、与圧を付与している。
【００２８】
（反射防止層の構成）
図１、図２および図４に示すように、本形態のモータ１においては、モータケース１０の外面について反射性を有する金属面のままであるが、デジタルカメラやビデオカメラ等に搭載された際にモータ本体１ａで光が反射して撮像素子に入射することを防止することを目的に、モータケース１０の外面の少なくとも一部には、光吸収性の艶消しの反射防止層２５が被覆されている。より具体的には、モータケース１０の外面には、反射防止層２５としてカバー２０が被せられており、かかるカバー２０は、表面に艶消し用の微細な凹凸が多数形成された黒色の樹脂成形品である。例えば、カバー２０は、ポリカーボネート樹脂やポリアセタール樹脂等の耐熱性の樹脂成形品であり、その厚さは、例えば、０．２ｍｍ程度である。本形態において、カバー２０は、モータケース１０の外面に接着剤３０によって固定されている。
【００２９】
カバー２０は、モータ１の反出力側の端面（与圧付与部材９１）に重なる底板部２１と、底板部２１の外周縁からモータ軸線Ｌ方向の出力側に向けて延在する円筒状の側板部２２とを有しており、側板部２２は、モータケース１０の側面（外面）に被さっている。また、カバー２０において、底板部２１の表面（外面）および側板部２２の表面（外面）には艶消し用の微細な凹凸が多数形成されている。本形態において、凹凸は梨地状に形成されている。これに対して、底板部２１の内面および側板部２２の内面は、艶消し用の凹凸が形成されていない平滑面になっている。本形態において、艶消し用の微細な凹凸は、カバー２０を金型成形する際、金型において底板部２１の外面および側板部２２の外面に接する部分に形成された微細な凹凸が転写されたものである。また、カバー２０は黒色であり、光吸収性を有している。
【００３０】
このため、カバー２０は、モータケース１０の側面（外面）や、モータ１の反出力側の端面（与圧付与部材９１）に向けて光が進行してきた場合でも、かかる光を吸収し、反射を防止する。従って、本形態のモータ１においては、デジタルカメラやビデオカメラ等に搭載された際、モータケース１０の側面や、モータ１の反出力側の端面（与圧付与部材９１）に向けて光が進行してきた場合でも、かかる光がモータ１で反射して撮像素子に入射することを防止することができる。
【００３１】
ここで、モータケース１０からは、カップ状部材４Ａ、４Ｂの継ぎ目に相当する位置で端子台７が径方向外側に突出しているのに対して、カバー２０の側板部２２のモータ軸線Ｌ方向における寸法は、モータケース１０をモータ軸線Ｌ方向における大部分を覆う寸法である。但し、カバー２０の側板部２２において、開口縁２２０には、端子台７が位置する部分に切り欠き２２１が形成されており、カバー２０の側板部２２において、端子台７が位置する部分から出力側に位置する部分は、モータケース１０の周りに周方向の一部で重なる半筒状になっている。このため、カバー２０をモータケース１０の反出力側（与圧付与部材９１側）から被せる際、端子台７が邪魔にならない。また、モータ１は、デジタルカメラやビデオカメラ等に搭載される際、端子台７に光が当たらない向きに配置される。このため、モータ１に向けて光が進行してきた場合でも、かかる光が端子ピン７１で反射して撮像素子に入射することを防止することができる。
【００３２】
（接着剤３０の溜まり部の構成）
本形態において、カバー２０の内径寸法は、モータケース１０の外径寸法と略同一であるため、カバー２０の側板部２２は、モータケース１０の側面に沿って延在している。ここで、カップ状部材４Ａ、４Ｂの開口縁（筒状胴部４３Ａ、４３Ｂの開口縁）には、図４に示すように、径方向外側に突出した小さな凸部４３１Ａ、４３１Ｂが開口縁に沿うように開口縁の全周にわたって形成されている。このため、カバー２０の内周面と筒状胴部４３Ａ、４３Ｂの外面との間には、凸部４３１Ａ、４３１Ｂによって、接着剤３０の溜まり部３１を構成する隙間Ｇが形成されている。
【００３３】
このように構成した溜まり部３１を利用して、カバー２０をモータケース１０の外面に接着剤３０により固定するには、まず、モータケース１０の外面に、湿気硬化性接着剤や熱硬化性接着剤、嫌気性接着剤を塗布する。次に、モータケース１０にカバー２０を被せ、この状態で、モータケース１０に対してカバー２０を摺動させて、接着剤３０をモータケース１０とカバー２０との間に行き渡らせる。しかる後に、接着剤３０を硬化させる。
【００３４】
なお、凸部４３１Ａ、４３１Ｂを備えたカップ状部材４Ａ、４Ｂは、例えば、カップ状部材４Ａ、４Ｂの製造工程において、磁性板に対する絞り加工を行って筒状胴部４３Ａ、４３Ｂを形成した後、カップ状部材４Ａ、４Ｂを切り出す際、カット用の刃を筒状胴部４３Ａ、４３Ｂの外面から径方向外側にわずかに離間した位置で筒状胴部４３Ａ、４３Ｂの外面に平行に移動させることによって得ることができる。また、凸部４３１Ａ、４３１Ｂは、カップ状部材４Ａ、４Ｂを絞り加工によって製造する工程とは別の工程で形成してもよい。また、内ステータコア３Ａ、３Ｂをカップ状部材４Ａ、４Ｂの内側に圧入し、この圧入によってカップ状部材４Ａ、４Ｂの開口縁を外側に突出させて凸部４３１Ａ、４３１Ｂを形成してもよく、また、内ステータコア３Ａ、３Ｂの環状部分の外周縁がカップ状部材４Ａ、４Ｂから外側に突出して凸部４３１Ａ、４３１Ｂが形成されている構造を採用してもよい。
【００３５】
（本形態の主な効果）
以上説明したように、本形態のモータ１では、モータケース１０の外面の少なくとも一部には、光吸収性の反射防止層２５が被覆されているため、モータ１を光学機器等に搭載する際、光が当たる箇所に反射防止層２５が位置するようにモータ１を配置すれば、モータケース１０で反射した光が撮像素子に入射する等の不具合の発生を防止することができる。また、反射防止層２５を設けるにあたっては、モータ１を組み立てた後、あるいはモータ１を組み立てる途中にモータケース１０を反射防止層２５で被覆するという簡素な作業を行えばよく、射出成形やエッチング工程等といった特殊な工程を行う必要がない。また、反射防止層２５以外は全て、通常のモータと部品の共通化を図ることができる。それ故、モータケース１０の外面での反射を防止するにあたって、コストが大幅に嵩むことがない。
【００３６】
また、本形態においては、反射防止層２５として、モータケース１０には黒色のカバー２０が被せられており、かかるカバー２０の外面は、艶消し用の多数の凹凸を備えた反射防止面になっている。このため、モータケース１０の外面にカバー２０という簡素な構成の部材を被せるという簡素な作業を行えばよい。また、カバー２０については、モータ本体１ａの製造工程とは別の工程で製作しておけるので、モータケース１０の外面での反射を防止するにあたって、コストが大幅に嵩むことがない。しかも、カバー２０はモータケース１０が内側に嵌った筒状カバーであるので、モータケース１０にカバー２０を確実に取り付けることができる。
【００３７】
また、カバー２０は、モータケース１０の外面に接着剤３０により固定されている。このため、モータケース１０およびカバー２０を互いに係合するような特殊な構造とする必要がないので、カバー２０については簡素な構成で済むとともに、モータケース１０については、通常のモータ１で用いる構造のままでよいという利点がある。
【００３８】
また、本形態において、モータケース１０は、筒状胴部４３Ａ、４３Ｂの開口縁に径方向外側に突出した凸部４３１Ａ、４３１Ｂが形成されており、カバー２０は、少なくとも凸部４３１Ａ、４３１Ｂの形成位置まで被さっている。このため、カバー２０と筒状胴部４３Ａ、４３Ｂの外面との間には、凸部４３１Ａ、４３１Ｂによって、接着剤３０の溜まり部３１を構成する隙間Ｇが形成されている。従って、モータケース１０とカバー２０とを確実に接着固定できるとともに、筒状胴部４３Ａ、４３Ｂの開口縁に凸部が形成されていない場合と比較して、接着剤３０のはみ出しを防止することができる。しかも、モータケース１０は、筒状胴部４３Ａ、４３Ｂを備えた２つのカップ状部材４Ａ、４Ｂが、開口縁同士が向き合うようにモータ軸線方向Ｌに配列されてなり、かかる２つのカップ状部材４Ａ、４Ｂのいずれにも、凸部４３１Ａ、４３１Ｂが形成されている。このため、カバー２０とモータケース１０との間には、凸部４３１Ａ、４３１Ｂによって、接着剤３０の溜まり部３１を十分な範囲にわたって構成することができる。それ故、モータケース１０とカバー２０とを確実に接着固定できる。
【００３９】
［他の実施の形態］
上記実施の形態では、カバー２０として、筒状カバーにおいて端子台７に対応する角度範囲のみに切り欠き２２１を設けた構成であったが、端子台７よりさらに広い角度範囲にわたって切り欠き２２１を設けてもよい。また、上記実施の形態では、カバー２０の側板部２２に対して、モータ軸線Ｌ方向の一部のみに切り欠き２２１を設けたが、モータ軸線Ｌ方向の全体にわたって切り欠き２２１が形成されている構成を採用してもよい。すなわち、円筒状のカバー２０に代えて、側板部２２が切り欠き２２１によって周方向で分割されている形状の筒状カバーや、周方向において９０°の角度範囲等、周方向の一部のみに側板部２２を備えたカバーを用いてもよい。また、切り欠き２２１が段状に形成されているカバー２０を用いてもよい。また、上記実施の形態では、底板部２１を備えたカバー２０を用いたが、底板部２１のないカバー２０を用いてもよい。
【００４０】
上記実施の形態では、カバー２０をモータケース１０に固定するにあたって、接着剤３０を用いたが、端子台７等の段部に引っ掛かる係合部等をカバー２０に設けて、カバー２０をモータケース１０に係合させて固定した構造を採用してもよい。
【００４１】
また、図４（ａ）に一点鎖線で示すように、カバー２０をモータケース１０に被せた後、カバー２０を部分的に加熱して内側に熱変形させることにより、モータ本体１ａに係合する係合部２９をカバー２０に設けた構造を採用してもよい。より具体的には、モータ本体１ａには、カップ状部材４Ａの端板部４２Ａや軸受ホルダ９８や与圧付与部材９１等によってモータ軸線Ｌ方向に交差する方向に段部が形成されているので、かかる段部にカバー２０の係合部２９を係合させてもよい。かかる構成によれば、接着剤３０等を用いなくても、カバー２０によってモータケース１０を覆った状態を維持することができる。さらに、係合部２９がモータ軸線Ｌ方向に交差する方向に位置する段部に係合しているので、カバー２０のモータ軸線Ｌ方向の出力側と反出力側への移動をより好適に規制することが可能となる。また、接着剤３０を用いる場合でも、接着剤３０が固化するまでの間、カバー２０とモータ本体１ａとを結合させておくことができる。かかる構成によれば、予めカバー２０に係合部２９を設けておく必要がないので、カバー２０の構成を簡素化することができる。
【００４２】
また、カバー２０をモータケース１０に被せた後、カバー２０を加熱溶融させ、カバー２０とモータケース１０とを熱溶着した構造を採用してもよい。
【００４３】
上記実施の形態では、光吸収性の反射防止層２５を構成するにあたって、黒色のカバー２０を用いたが、光吸収性とするための色相については、黒色の他、茶色やグレー等の暗色系の色を利用してもよい。
【００４４】
カバー２０として、表面に艶消し用の微細な凹凸を備えた熱収縮チューブをモータケース１０に被せて、反射防止層２５を構成してもよい。
【００４５】
上記実施の形態では、外ステータコアとしてのカップ状部材４Ａ、４Ｂの筒状胴部４３Ａ、４３Ｂによってモータケース１０が形成されているモータ１を例示したが、外ステータコアとは別の部材によってモータケース１０が形成されているモータに本発明を適用してもよい。
【００４６】
上記実施の形態では、モータ１としてステッピングモータを例示したが、ステッピングモータ以外のモータに本発明を適用してもよい。また、モータ本体１ａについては断面円形に限らず、断面角形や断面楕円等、円形以外の断面形状であってもよく、その場合、モータ本体１ａの形状に合わせて、カバー２０を断面角形や断面楕円等にすることが好ましい。
【符号の説明】
【００４７】
１・・モータ
１ａ・・モータ本体
４Ａ、４Ｂ・・カップ状部材
５・・ロータ
１０・・モータケース
２０・・カバー
２５・・反射防止層
２９・・係合部
３０・・接着剤
３１・・溜まり部
４０・・ステータ
４３Ａ、４３Ｂ・・筒状胴部
４３１Ａ、４３１Ｂ・・凸部
【図１】
0005941296.tif 000002
【図２】
0005941296.tif 000003
【図３】
0005941296.tif 000004
【図４】
0005941296.tif 000005